(57)【要約】【課題】ツェナーダイオードに流されるツェナー電流を定電圧回路のみで消費するのではなく、負荷等の他の回路でも利用できるようにして、節電効果を得ること。【解決手段】本発明にかかる定電圧電源装置１０においては、第１の定電圧回路１は、トランジスタＱ１のコレクタＱｃに電源電圧入力端子ＩＮ１が接続され、前記電源電圧入力端子ＩＮ１が抵抗Ｒ１を介してツェナーダイオードＤ１のカソードＤｋに接続されている。前記トランジスタＱ１のベースＱｂは、前記ツェナーダイオードＤのカソードＤｋに接続されるとともに、コンデンサＣ１を介して接地され、前記トランジスタＱ１のエミッタＱｅが第１の定電圧出力端子ＯＵＴ１に接続されて構成されている。第２の定電圧回路２は、前記第１の定電圧回路１より低い定電圧を出力するように構成されている。そして、前記ツェナーダイオードＤ１のアノードＤａは第２の定電圧出力端子ＯＵＴ２に接続されている。【選択図】            図１
2004302707.tif 000002
【特許請求の範囲】
【請求項１】
トランジスタのコレクタに電源電圧入力端子が接続されるとともに、前記電源電圧入力端子が抵抗を介してツェナーダイオードのカソードに接続され、
前記トランジスタのベースは、前記ツェナーダイオードのカソードに接続されるとともに、コンデンサを介して接地され、
前記トランジスタのエミッタが第１の定電圧出力端子に接続されている第１の定電圧回路を備えるとともに、
前記第１の定電圧回路が出力する第１の定電圧出力より低い第２の定電圧出力を第２の定電圧出力端子から出力するように構成された第２の定電圧回路を備え、前記ツェナーダイオードのアノードを、前記第２の定電圧出力端子に接続したことを特徴とする定電圧電源装置。
【発明の詳細な説明】
【０００１】
【発明の属する技術分野】
本発明は、定電圧回路に関するものであり、特には、定電圧回路で消費される電流を減少させることができる技術に関するものである。
【０００２】
【従来の技術】
図２に示したような、従来の定電圧回路１００は、トランジスタＱ１００のコレクタに電源電圧入力端子が接続されるとともに、前記電源電圧入力端子が抵抗Ｒ１００を介してツェナーダイオードＤ１００のカソードに接続され、前記トランジスタＱ１００のベースは、前記ツェナーダイオードＤ１００のカソードに接続されるとともに、コンデンサＣ１００を介して接地され、前記ツェナーダイオードＤ１００のアノードは接地されている。
このような回路構成によって、定電圧出力電圧は、前記ツェナーダイオードＤ１００に発生するツェナー電圧に基づいてコントロールされているものであり、このツェナー電圧を発生させるために、ツェナーダイオードにバイアス電流（ツェナー電流）を流すように構成されている。そして、そのツェナー電流は、電源の負荷には流さずに、電源のグランドに流していた。
このように、従来の定電圧回路では、前記ツェナー電流を負荷に流さずに無駄に消費してしまうため、バッテリー等で駆動される機器等で使用される場合には、使用時間が短くなるという大きな問題があった。
【０００３】
従来、ツェナー電流を電源のグランドに流さないようにする定電圧回路としては、例えば、実公平９−３８６８０号公報（特許文献１）がある。これは、流れ込んだツェナー電流が信号に影響を及ぼすという問題点を解決するためのものであり、音響機器や無線受信機等における、音質、受信音の劣化の原因を解消するためのものである。
前記特許文献１では、正負両極性の直流電源を入力し、正負両極性の定電圧出力する定電圧回路において、グランド電位に対する所定の基準電位を発生すべくツェナーダイオードにバイアス電流を流すように構成した基準電位発生手段と、基準電位と出力電位を一定の関係になるように負帰還制御する制御手段とを備えることで、定電圧出力によって駆動する増幅器の信号電流への影響をなくし、音響機器における音質劣化を防止するものが提案されている。
【０００４】
【特許文献１】
実公平７−３８９８０号公報
【０００５】
【発明が解決しようとする課題】
しかしながら、特許文献１に記載されている定電圧回路で、信号電流への影響は防止できたとしても、ツェナー電流は、負荷側へは流れずに、その殆どが前記直流電源の正負両極間で直接流れ、定電圧回路内だけで無駄に消費されてしまうものであって、依然として、バッテリー等で駆動される機器等で使用される場合には、使用時間が短くなるという大きな問題は解決できなかった。
【０００６】
そこで、本発明は、以上のような問題に鑑みて発明されたものであって、ツェナー電流を定電圧回路のみで消費するのではなく、負荷等の他の回路でも利用できるようにし、電力が無駄に消費されないようにできる定電圧回路を提供することを目的としてなされたものである。
【０００７】
【課題を解決するための手段】
本発明にかかる定電圧電源装置においては、トランジスタのコレクタに電源電圧入力端子が接続されるとともに、前記電源電圧入力端子が抵抗を介してツェナーダイオードのカソードに接続され、前記トランジスタのベースは、前記ツェナーダイオードのカソードに接続されるとともに、コンデンサを介して接地され、前記トランジスタのエミッタが第１の定電圧出力端子に接続されている第１の定電圧回路を備えるとともに、前記第１の定電圧回路が出力する第１の定電圧出力より低い第２の定電圧出力を第２の定電圧出力端子から出力するように構成された第２の定電圧回路を備え、前記ツェナーダイオードのアノードを、前記第２の定電圧出力端子に接続したことを特徴とするものである。
【０００８】
以上の構成によれば、第１の定電圧回路のトランジスタのベースに印加される電圧は、ツェナー電圧と第２の定電圧出力の電圧とが加算された電圧となり、ツェナー電流は第２の定電圧出力端子から出力される。
【０００９】
【発明の実施の形態】
以下に、本発明にかかる定電圧電源装置を、その実施の形態を示した図面に基づいて詳細に説明する。
【００１０】
図１において、
１０は、第１の定電圧出力（１０Ｖ）と、第２の定電圧出力（８Ｖ）とを出力する機能を有した定電圧電源装置である。前記第２の定電圧出力は、第２の定電圧回路２によって所定の定電圧（８Ｖ）に保たれるように制御されて、第２の定電圧出力端子ＯＵＴ２から第２の負荷Ｌ２へ出力される。
前記第１の定電圧出力は、後述する第１の定電圧回路１によって所定の定電圧（１０Ｖ）に保たれるように制御されて第１の定電圧出力端子ＯＵＴ１から第１の負荷Ｌ１へ出力される。
なお、前記第１の定電圧出力は前記第２の定電圧出力より高いものとする。
【００１１】
前記第１の定電圧回路１の電源電圧入力端子ＩＮ１には電源電圧（１３．８Ｖ）が入力され、この電源電圧入力端子ＩＮ１はトランジスタＱ１のコレクタＱｃに接続されている。そして、前記電源電圧入力端子ＩＮ１は抵抗Ｒ１を介してツェナーダイオードＤ１（ツェナー電圧＝２．６Ｖ、ツェナー電流＝Ｉｚ）のカソードＤｋに接続されている。そして、前記ツェナーダイオードＤ１のアノードＤａは前記第２の定電圧出力端子ＯＵＴ２と接続されている。
前記トランジスタＱ１のベースＱｂは、前記抵抗Ｒ１と前記ツェナーダイオードＤ１のカソードＤｋとに接続されるとともに、コンデンサＣ１を介して接地されている。さらに、前記トランジスタＱ１のエミッタＱｅは、前記第１の定電圧出力端子ＯＵＴ１に接続されている。
なお、前記第２の負荷Ｌ２へ供給されるべき電流Ｉ２は前記ツェナー電流Ｉｚより大きいものとする。
【００１２】
第２の定電圧回路２は、内部の電圧安定化回路構成により安定化された前記第２の定電圧出力（８Ｖ）を第２の定電圧出力端子ＯＵＴ２から出力するように構成されている。
【００１３】
以上の回路構成の第１の定電圧回路１においては、
前記トランジスタＱ１のベースＱｂに印加される電圧は、ツェナーダイオードＤ１のツェナー電圧（２．６Ｖ）と、第２の定電圧出力の電圧（８Ｖ）とが加算された安定した一定の電圧（１０．６Ｖ＝２．６Ｖ＋８Ｖ）であるので、前記トランジスタＱ１のベースＱｂには、電圧１０．６Ｖの仮想的な基準電圧が接続された状態となり、前記トランジスタＱ１のコレクタＱｃを介して第１の定電圧出力端子ＯＵＴ１から出力される第１の定電圧出力は安定化された定電圧出力となるのである。
【００１４】
さらに、前記ツェナーダイオードＤ１を流れるツェナー電流Ｉｚは、前記第２の定電圧出力端子ＯＵＴ２を通って、前記第２の負荷Ｌ２へ供給されるので、本来第２の定電圧回路２から前記第２の定電圧出力端子ＯＵＴ２へ出力される電流Ｉ２１は、前記ツェナー電流Ｉｚ分だけ低減されることになる。
このようにして、図１に示した本発明の定電圧電源装置１０によれば、第１の定電圧回路１において消費されるツェナー電流Ｉｚは、第２の定電圧回路２から出力される電流Ｉ２１に加算されて電流Ｉ２となって、第２の負荷Ｌ２へ供給されるので、無駄にはならず有効利用され、定電圧電源装置１０全体としての消費電力が節減されるのである。
【００１５】
なお、第２の定電圧回路２としては、その内部の回路構成は限定されるものではなく、安定化された第２の定電圧出力（第１の定電圧出力より低い電圧）が得られるものであればよい。
また、第１の定電圧回路１としては、ツェナーダイオードとトランジスタとを用いた定電圧回路構成であって、そのツェナー電流を前記第２の定電圧出力から負荷へ出力するような構成であればよい。
【００１６】
【発明の効果】
本発明によれば、ツェナーダイオードＤ１のアノードを、第２の定電圧回路の定電圧出力端子に接続して、前記ツェナーダイオードＤ１のツェナー電流が第２の定電圧出力端子から出力されるように構成したので、前記ツェナー電流は無駄に消費されず、定電圧電源装置全体としての消費電流を節減できるという効果が得られる。
【図面の簡単な説明】
【図１】本発明にかかる定電圧電源装置の実施の形態の回路構成を示した回路図である。
【図２】従来例の定電圧回路の回路例である。
【符号の説明】
１０  定電圧電源装置
１    第１の定電圧回路
Ｑ１  トランジスタ
Ｑｃ  コレクタ
ＩＮ１  電源電圧入力端子
Ｒ１  抵抗
Ｄ１  ツェナーダイオード
Ｄｋ  カソード
Ｑｂ  ベース
Ｃ１  コンデンサ
Ｑｅ  エミッタ
Ｄａ  アノード
ＯＵＴ１  第１の定電圧出力端子
２    第２の定電圧回路
ＯＵＴ２  第２の定電圧出力端子
【図１】
2004302707.tif 000003
【図２】
2004302707.tif 000004